(57)【要約】【課題】  記録物のカールが抑制され、かつ、水性インク及び処理液の再分散性及び蒸発後の流動性に優れたインクジェット記録用水性インクセットを提供する。【解決手段】  インクジェット記録用水性インク及び処理液を含むインクジェット記録用水性インクセットであって、前記水性インクは、着色剤、水及び湿潤剤を含み、前記処理液は、凝集剤、水及び湿潤剤を含み、前記水性インク及び前記処理液において、前記浸透剤は、グリセリン及び重量平均分子量が４００〜６００のポリエチレングリコール（ＰＥＧ）を含み、前記ＰＥＧが、下記（Ａ）、（Ｂ１）、（Ｃ）及び（Ｄ）の条件を満たすように、前記水性インク及び前記処理液に配合されていることを特徴とする。（Ａ）    １０≦ｘ＋ｙ≦２０（Ｂ１）  ０＜ｘ≦１０（Ｃ）    ０＜ｙ≦１５（Ｄ）  ｘ＜ｙｘ：前記水性インク全量に対する前記ＰＥＧの配合量（重量％）ｙ：前記処理液全量に対する前記ＰＥＧの配合量（重量％）【選択図】  なし【特許請求の範囲】
【請求項１】
インクジェット記録用水性インク及び処理液を含むインクジェット記録用水性インクセットであって、
前記水性インクは、着色剤、水及び湿潤剤を含み、
前記処理液は、凝集剤、水及び湿潤剤を含み、
前記水性インク及び前記処理液において、前記浸透剤は、グリセリン及び重量平均分子量が４００〜６００のポリエチレングリコールを含み、
重量平均分子量が４００〜６００のポリエチレングリコールが、下記（Ａ）、（Ｂ１）、（Ｃ）及び（Ｄ）の条件を満たすように、前記水性インク及び前記処理液に配合されていることを特徴とするインクジェット記録用水性インクセット。
（Ａ）    １０≦ｘ＋ｙ≦２０
（Ｂ１）  ０＜ｘ≦１０
（Ｃ）    ０＜ｙ≦１５
（Ｄ）  ｘ＜ｙ
ｘ：前記水性インク全量に対する重量平均分子量が４００〜６００のポリエチレングリコールの配合量（重量％）
ｙ：前記処理液全量に対する重量平均分子量が４００〜６００のポリエチレングリコールの配合量（重量％）
【請求項２】
重量平均分子量が４００〜６００のポリエチレングリコールが、前記（Ｂ１）の条件に代えて、下記（Ｂ２）の条件を満たすように、前記水性インク及び前記処理液に配合されていることを特徴とする請求項１記載のインクジェット記録用水性インクセット。
（Ｂ２）  ０＜ｘ≦８
【請求項３】
前記着色剤が、自己分散型顔料であり、かつ、前記凝集剤が、ポリアリルアミンであることを特徴とする請求項１または２に記載のインクジェット記録用水性インクセット。
【請求項４】
インクジェット記録用水性インク及び処理液を含むインクジェット記録用水性インクセットを用いて記録するインクジェット記録方法であって、
記録媒体に前記処理液を付与する工程と、
前記記録媒体に前記水性インクをインクジェット方式により吐出して記録する記録工程とを有し、
前記水性インクセットとして、請求項１〜３のいずれか一項に記載のインクジェット記録用水性インクセットを用いることを特徴とするインクジェット記録方法。
【請求項５】
インクセット収容部と、処理液付与手段と、インク吐出手段とを含むインクジェット記録装置であって、
前記インクセット収容部に、請求項１〜３のいずれか一項に記載のインクジェット記録用水性インクセットが収容され、
前記水性インクセットを構成する前記処理液が、前記処理液付与手段によって記録媒体に付与され、
前記水性インクセットを構成する前記水性インクが、前記インク吐出手段によって前記記録媒体に吐出されることを特徴とするインクジェット記録装置。
【発明の詳細な説明】
【技術分野】
【０００１】
本発明は、インクジェット記録用水性インクセット、インクジェット記録方法及びインクジェット記録装置に関する。
【背景技術】
【０００２】
記録物の光学濃度（ＯＤ値）を向上させることを目的として、水性インクによるインクジェット記録の前に、前記水性インク中の着色剤を凝集させる多価金属塩等の凝集剤を含む処理液を用いることがある。前記水性インク及び前記処理液を組み合わせたインクジェット記録用水性インクセットでは、水性インク及び処理液が水分を含んでいるため、記録物にカールが生じることがある。この問題を解決するものとして、水性インク及び処理液に、それぞれ、ポリエチレングリコール（ＰＥＧ）を配合したインクジェット記録用水性インクセットが提案されている（特許文献１及び２）。
【先行技術文献】
【特許文献】
【０００３】
【特許文献１】特開２００５−２９７５４８号公報
【特許文献２】特開２００４−２０９７５９号公報
【発明の概要】
【発明が解決しようとする課題】
【０００４】
しかし、前記インクジェット記録用水性インクセットは、水性インクが着色剤を、また、処理液が凝集剤を含んでいるので、水性インク及び処理液の再分散性及び蒸発後の流動性が充分でない。
【０００５】
そこで、本発明は、記録物のカールが抑制され、かつ、水性インク及び処理液の再分散性及び蒸発後の流動性に優れたインクジェット記録用水性インクセットを提供することを目的とする。
【課題を解決するための手段】
【０００６】
前記目的を達成するために、本発明のインクジェット記録用水性インクセットは、インクジェット記録用水性インク及び処理液を含むインクジェット記録用水性インクセットであって、
前記水性インクは、着色剤、水及び湿潤剤を含み、
前記処理液は、凝集剤、水及び湿潤剤を含み、
前記水性インク及び前記処理液において、前記湿潤剤は、グリセリン及び重量平均分子量が４００〜６００のＰＥＧを含み、
重量平均分子量が４００〜６００のＰＥＧが、下記（Ａ）、（Ｂ１）、（Ｃ）及び（Ｄ）の条件を満たすように、前記水性インク及び前記処理液に配合されていることを特徴とする。
（Ａ）    １０≦ｘ＋ｙ≦２０
（Ｂ１）  ０＜ｘ≦１０
（Ｃ）    ０＜ｙ≦１５
（Ｄ）  ｘ＜ｙ
ｘ：前記水性インク全量に対する重量平均分子量が４００〜６００のＰＥＧの配合量（重量％）
ｙ：前記処理液全量に対する重量平均分子量が４００〜６００のＰＥＧの配合量（重量％）
【発明の効果】
【０００７】
本発明のインクジェット記録用水性インクセットでは、水性インク及び処理液の双方が、それぞれ、前記特定の分子量のＰＥＧを前記（Ａ）、（Ｂ１）、（Ｃ）及び（Ｄ）の条件を満たすように含まれているため、記録物のカールが抑制され、かつ、水性インク及び処理液の双方において、再分散性及び蒸発後の流動性に優れる。
【図面の簡単な説明】
【０００８】
【図１】図１は、本発明のインクジェット記録装置の一例の構成を示す概略斜視図である。
【図２】図２（ａ）及び（ｂ）は、本発明のインクジェット記録方法による記録例を示す図である。
【発明を実施するための形態】
【０００９】
本発明において、水性インクの「再分散性」とは、例えば、水性インクが一度蒸発乾固し、固形物が生じた後、新たに水性インクと接触した際の前記固形物の溶解性及び分散性を意味する。再分散性が悪いと、例えば、インクジェットヘッドで水性インクが加熱され、蒸発乾固することで固形物が生じた後に、新たに水性インクと接触しても前記固形物が溶解及び分散せず、吐出不良の原因となる。処理液の「再分散性」についても、水性インクの「再分散性」と同様である。
【００１０】
本発明において、水性インクの「蒸発後の流動性」とは、例えば、開放容器内で水性インクを蒸発させた後、前記開放容器を傾けたときの水性インクの流動性を意味する。蒸発後の流動性が悪いと、例えば、インクジェットヘッドで水性インクが一定時間放置され、蒸発すると、流動性がなくなり、吐出不良の原因となる。処理液の「蒸発後の流動性」についても、水性インクの「蒸発後の流動性」と同様である。
【００１１】
前述のとおり、本発明のインクジェット記録用水性インクセット（以下、「水性インクセット」又は「インクセット」と言うことがある。）は、インクジェット記録用水性インク（以下、「水性インク」又は「インク」と言うことがある。）及び処理液を含む。前記水性インクは、着色剤、水及び湿潤剤を含む。前記水性インクは、着色剤、水及び湿潤剤以外のその他の成分を含んでもよい。前記処理液は、凝集剤、水及び湿潤剤を含む。前記処理液は、凝集剤、水及び湿潤剤以外のその他の成分を含んでもよい。
【００１２】
本発明の水性インクセットは、前記水性インク及び前記処理液の双方が、それぞれ、前記湿潤剤として、グリセリン及び重量平均分子量が４００〜６００のＰＥＧ（以下、「特定分子量ＰＥＧ」と言う。）を含み、かつ、前記特定分子量ＰＥＧが、前記（Ａ）、（Ｂ１）、（Ｃ）及び（Ｄ）の条件を満たすように、前記水性インク及び前記処理液に配合されていることを特徴とする。
【００１３】
前記水性インク全量に対するグリセリンの配合量は、特に限定されないが、例えば、１０重量％〜４０重量％であり、好ましくは、１５重量％〜４０重量％であり、より好ましくは、３０重量％〜３５重量％である。また、前記処理液全量に対するグリセリンの配合量は、特に限定されないが、例えば、１０重量％〜３０重量％であり、好ましくは、１０重量％〜２５重量％であり、より好ましくは、１０重量％〜２０重量％である。
【００１４】
本発明の水性インクセットにおいて、前記特定分子量ＰＥＧが、前記（Ｂ１）の条件に代えて、下記（Ｂ２）の条件を満たすように、前記水性インク及び前記処理液の双方に配合されていることが好ましい。前記（Ｂ２）の条件を満たせば、前記水性インクの蒸発後の流動性が更に向上する。
（Ｂ２）  ０＜ｘ≦８
【００１５】
本発明の水性インクセットにおいて、前記特定分子量ＰＥＧが、下記（Ｄ）の条件を満たすように、前記水性インク及び前記処理液に配合されていることが好ましい。前記（Ｄ）の条件を満たせば、記録物のカールが更に抑制される。
（Ｄ）    ｘ＜ｙ
【００１６】
前記水性インク及び前記処理液は、グリセリン及び前記特定分子量ＰＥＧ以外の湿潤剤を含んでもよい。このような湿潤剤としては、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリプロピレングリコール、アルキレングリコール等の多価アルコール；２−ピロリドン；Ｎ−メチル−２−ピロリドン；１，３−ジメチル−２−イミダゾリジノン等があげられる。前記アルキレングリコールは、例えば、エチレングリコール、プロピレングリコール、ブチレングリコール、ジエチレングリコール、トリエチレングリコール、ジプロピレングリコール、トリプロピレングリコール、チオジグリコール、ヘキシレングリコール等があげられる。
【００１７】
つぎに、前記水性インクの湿潤剤以外の成分について説明する。前記水性インクにおいて、前記着色剤は、顔料又は染料のいずれであってもよい。また、前記着色剤として、顔料及び染料を混合して用いてもよい。
【００１８】
前記顔料は、例えば、カーボンブラック、無機顔料及び有機顔料等があげられる。前記カーボンブラックとしては、例えば、ファーネスブラック、ランプブラック、アセチレンブラック、チャンネルブラック等があげられる。前記無機顔料としては、例えば、酸化チタン、酸化鉄系無機顔料及びカーボンブラック系無機顔料等をあげることができる。前記有機顔料としては、例えば、アゾレーキ、不溶性アゾ顔料、縮合アゾ顔料、キレートアゾ顔料等のアゾ顔料；フタロシアニン顔料、ペリレン及びペリノン顔料、アントラキノン顔料、キナクリドン顔料、ジオキサジン顔料、チオインジゴ顔料、イソインドリノン顔料、キノフタロン顔料等の多環式顔料；塩基性染料型レーキ顔料、酸性染料型レーキ顔料等の染料レーキ顔料；ニトロ顔料；ニトロソ顔料；アニリンブラック昼光蛍光顔料；等があげられる。また、その他の顔料であっても水相に分散可能なものであれば使用できる。これらの顔料の具体例としては、例えば、Ｃ．Ｉ．ピグメントブラック１、６及び７；Ｃ．Ｉ．ピグメントイエロー１、２、３、１２、１３、１４、１５、１６、１７、５５、７８、１５０、１５１、１５４、１８０、１８５及び１９４；Ｃ．Ｉ．ピグメントオレンジ３１及び４３；Ｃ．Ｉ．ピグメントレッド２、３、５、６、７、１２、１５、１６、４８、４８：１、５３：１、５７、５７：１、１１２、１２２、１２３、１３９、１４４、１４６、１４９、１６６、１６８、１７５、１７６、１７７、１７８、１８４、１８５、１９０、２０２、２２１、２２２、２２４及び２３８；Ｃ．Ｉ．ピグメントバイオレット１９６；Ｃ．Ｉ．ピグメントブルー１、２、３、１５、１５：１、１５：２、１５：３、１５：４、１６、２２及び６０；Ｃ．Ｉ．ピグメントグリーン７及び３６等があげられる。
【００１９】
前記顔料は、自己分散型顔料であってもよい。前記自己分散型顔料は、例えば、顔料粒子にカルボニル基、ヒドロキシル基、カルボン酸基、スルホン酸基、リン酸基等の親水性官能基及びそれらの塩の少なくとも一種が、直接又は他の基を介して化学結合により導入されていることによって、分散剤を使用しなくても水に分散可能なものである。前記自己分散型顔料は、例えば、特開平８−３４９８号公報、特表２０００−５１３３９６号公報、特表２００８−５２４４００号公報、特表２００９−５１５００７号公報等に記載の方法によって顔料が処理されたものを用いることができる。前記自己分散型顔料の原料としては、無機顔料及び有機顔料のいずれも使用することができる。また、前記処理を行うのに適した顔料としては、例えば、三菱化学（株）製の「ＭＡ８」及び「ＭＡ１００」、デグサ社製の「カラーブラックＦＷ２００」等のカーボンブラックがあげられる。前記自己分散型顔料は、例えば、市販品を用いてもよい。前記市販品としては、例えば、キャボット・スペシャルティ・ケミカルズ社製の「ＣＡＢ−Ｏ−ＪＥＴ（登録商標）２００」、「ＣＡＢ−Ｏ−ＪＥＴ（登録商標）２５０Ｃ」、「ＣＡＢ−Ｏ−ＪＥＴ（登録商標）２６０Ｍ」、「ＣＡＢ−Ｏ−ＪＥＴ（登録商標）２７０Ｙ」、「ＣＡＢ−Ｏ−ＪＥＴ（登録商標）３００」、「ＣＡＢ−Ｏ−ＪＥＴ（登録商標）４００」、「ＣＡＢ−Ｏ−ＪＥＴ（登録商標）４５０Ｃ」、「ＣＡＢ−Ｏ−ＪＥＴ（登録商標）４６５Ｍ」及び「ＣＡＢ−Ｏ−ＪＥＴ（登録商標）４７０Ｙ」；オリエント化学工業（株）製の「ＢＯＮＪＥＴ（登録商標）ＢＬＡＣＫ  ＣＷ−２」及び「ＢＯＮＪＥＴ（登録商標）ＢＬＡＣＫ  ＣＷ−３」；東洋インキ製造（株）製の「ＬＩＯＪＥＴ（登録商標）ＷＤ  ＢＬＡＣＫ  ００２Ｃ」；等があげられる。
【００２０】
前記水性インク全量に対する前記顔料の固形分配合量（顔料固形分量）は、特に限定されず、例えば、所望の光学濃度又は色彩等により、適宜決定できる。前記顔料固形分量は、例えば、０．１重量％〜２０重量％であり、好ましくは、１重量％〜１０重量％であり、より好ましくは、２重量％〜８重量％である。
【００２１】
前記染料は、特に限定されず、例えば、直接染料、酸性染料、塩基性染料、反応性染料等があげられる。前記染料の具体例としては、例えば、Ｃ．Ｉ．ダイレクトブラック、Ｃ．Ｉ．ダイレクトブルー、Ｃ．Ｉ．ダイレクトレッド、Ｃ．Ｉ．ダイレクトイエロー、Ｃ．Ｉ．ダイレクトオレンジ、Ｃ．Ｉ．ダイレクトバイオレット、Ｃ．Ｉ．ダイレクトブラウン、Ｃ．Ｉ．ダイレクトグリーン、Ｃ．Ｉ．アシッドブラック、Ｃ．Ｉ．アシッドブルー、Ｃ．Ｉ．アシッドレッド、Ｃ．Ｉ．アシッドイエロー、Ｃ．Ｉ．アシッドオレンジ、Ｃ．Ｉ．アシッドバイオレット、Ｃ．Ｉ．ベーシックブラック、Ｃ．Ｉ．ベーシックブルー、Ｃ．Ｉ．ベーシックレッド、Ｃ．Ｉ．ベーシックバイオレット及びＣ．Ｉ．フードブラック等があげられる。前記Ｃ．Ｉ．ダイレクトブラックとしては、例えば、Ｃ．Ｉ．ダイレクトブラック１７、１９、３２、５１、７１、１０８、１４６、１５４及び１６８等があげられる。前記Ｃ．Ｉ．ダイレクトブルーとしては、例えば、Ｃ．Ｉ．ダイレクトブルー６、２２、２５、７１、８６、９０、１０６及び１９９等があげられる。前記Ｃ．Ｉ．ダイレクトレッドとしては、例えば、Ｃ．Ｉ．ダイレクトレッド１、４、１７、２８、８３及び２２７等があげられる。前記Ｃ．Ｉ．ダイレクトイエローとしては、例えば、Ｃ．Ｉ．ダイレクトイエロー１２、２４、２６、８６、９８、１３２、１４２及び１７３等があげられる。前記Ｃ．Ｉ．ダイレクトオレンジとしては、例えば、Ｃ．Ｉ．ダイレクトオレンジ３４、３９、４４、４６及び６０等があげられる。前記Ｃ．Ｉ．ダイレクトバイオレットとしては、例えば、Ｃ．Ｉ．ダイレクトバイオレット４７及び４８等があげられる。前記Ｃ．Ｉ．ダイレクトブラウンとしては、例えば、Ｃ．Ｉ．ダイレクトブラウン１０９等があげられる。前記Ｃ．Ｉ．ダイレクトグリーンとしては、例えば、Ｃ．Ｉ．ダイレクトグリーン５９等があげられる。前記Ｃ．Ｉ．アシッドブラックとしては、例えば、Ｃ．Ｉ．アシッドブラック２、７、２４、２６、３１、５２、６３、１１２及び１１８等があげられる。前記Ｃ．Ｉ．アシッドブルーとしては、例えば、Ｃ．Ｉ．アシッドブルー９、２２、４０、５９、９３、１０２、１０４、１１７、１２０、１６７、２２９及び２３４等があげられる。前記Ｃ．Ｉ．アシッドレッドとしては、例えば、Ｃ．Ｉ．アシッドレッド１、６、３２、３７、５１、５２、８０、８５、８７、９２、９４、１１５、１８０、２５６、２８９、３１５及び３１７等があげられる。前記Ｃ．Ｉ．アシッドイエローとしては、例えば、Ｃ．Ｉ．アシッドイエロー１１、１７、２３、２５、２９、４２、６１及び７１等があげられる。前記Ｃ．Ｉ．アシッドオレンジとしては、例えば、Ｃ．Ｉ．アシッドオレンジ７及び１９等があげられる。前記Ｃ．Ｉ．アシッドバイオレットとしては、例えば、Ｃ．Ｉ．アシッドバイオレット４９等があげられる。前記Ｃ．Ｉ．ベーシックブラックとしては、例えば、Ｃ．Ｉ．ベーシックブラック２等があげられる。前記Ｃ．Ｉ．ベーシックブルーとしては、例えば、Ｃ．Ｉ．ベーシックブルー１、３、５、７、９、２４、２５、２６、２８及び２９等があげられる。前記Ｃ．Ｉ．ベーシックレッドとしては、例えば、Ｃ．Ｉ．ベーシックレッド１、２、９、１２、１３、１４及び３７等があげられる。前記Ｃ．Ｉ．ベーシックバイオレットとしては、例えば、Ｃ．Ｉ．ベーシックバイオレット７、１４及び２７等があげられる。前記Ｃ．Ｉ．フードブラックとしては、例えば、Ｃ．Ｉ．フードブラック１及び２等があげられる。
【００２２】
前記水性インク全量に対する前記染料の配合量は、特に限定されず、例えば、０．１重量％〜２０重量％であり、好ましくは、０．３重量％〜１０重量％である。
【００２３】
前記着色剤は、１種類を単独で用いてもよいし、２種類以上を併用してもよい。
【００２４】
前記水性インクに用いられる水は、イオン交換水又は純水であることが好ましい。前記水性インク全量に対する前記水の配合量（水割合）は、例えば、１０重量％〜９０重量％であり、好ましくは、４０重量％〜８０重量％である。前記水割合は、例えば、他の成分の残部としてもよい。
【００２５】
前記水性インクは、さらに、浸透剤を含んでもよい。前記浸透剤は、例えば、グリコールエーテルがあげられる。前記グリコールエーテルは、例えば、エチレングリコールメチルエーテル、エチレングリコールエチルエーテル、エチレングリコール−ｎ−プロピルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−ヘキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテル及びトリプロピレングリコール−ｎ−ブチルエーテル等があげられる。前記浸透剤は、１種類を単独で用いてもよいし、２種類以上を併用してもよい。
【００２６】
前記水性インク全量に対する前記浸透剤の配合量は、例えば、０重量％〜２０重量％であり、好ましくは、０．１重量％〜１５重量％であり、より好ましくは、０．５重量％〜１０重量％である。
【００２７】
前記水性インクは、必要に応じて、さらに、従来公知の添加剤を含んでもよい。前記添加剤としては、例えば、界面活性剤、ｐＨ調整剤、粘度調整剤、表面張力調整剤、防黴剤等があげられる。前記粘度調整剤としては、例えば、ポリビニルアルコール、セルロース、水溶性樹脂等があげられる。
【００２８】
前記水性インクは、例えば、着色剤、水、グリセリン及び前記特定分子量ＰＥＧと、必要に応じて他の添加成分とを、従来公知の方法で均一に混合し、フィルタ等で不溶解物を除去することにより調製できる。
【００２９】
つぎに、前記処理液の湿潤剤以外の成分について説明する。前記処理液に含まれる前記凝集剤は、記録媒体上において、前記水性インク及び前記処理液が接触した際に、前記水性インク中の着色剤を凝集させる機能を有する、前記凝集剤としては、例えば、多価金属塩、カチオン性ポリマー、カチオン性界面活性剤等があげられる。
【００３０】
前記多価金属塩としては、例えば、塩化アルミニウム、臭化アルミニウム、硫酸アルミニウム、硝酸アルミニウム、酢酸アルミニウム、塩化バリウム、臭化バリウム、ヨウ化バリウム、酸化バリウム、硝酸バリウム、チオシアン酸バリウム、塩化カルシウム、臭化カルシウム、ヨウ化カルシウム、亜硝酸カルシウム、硝酸カルシウム、リン酸二水素カルシウム、チオシアン酸カルシウム、乳酸カルシウム、フマル酸カルシウム、クエン酸カルシウム、塩化銅、臭化銅、硫酸銅、硝酸銅、酢酸銅、塩化鉄、臭化鉄、ヨウ化鉄、硫酸鉄、硝酸鉄、シュウ酸鉄、乳酸鉄、フマル酸鉄、クエン酸鉄、塩化マグネシウム、臭化マグネシウム、ヨウ化マグネシウム、硫酸マグネシウム、硫酸マンガン、硝酸マンガン、リン酸二水素マンガン、酢酸マンガン、サリチル酸マンガン、安息香酸マンガン、乳酸マンガン、塩化ニッケル、臭化ニッケル、硫酸ニッケル、硝酸ニッケル、酢酸ニッケル、硫酸スズ、塩化チタン、塩化亜鉛、臭化亜鉛、硫酸亜鉛、硝酸亜鉛、チオシアン酸亜鉛、酢酸亜鉛等があげられる。これらの中でも、カルシウム、マグネシウムの多価金属塩が好ましい。また、着色剤の凝集度合いの観点から、２価の金属塩が好ましい。
【００３１】
前記カチオン性ポリマーとしては、例えば、ポリアミン、ポリアリルアミン、ポリエチレンイミン、ポリビニルアミン、ポリビニルピリジン、ポリエチレンイミン−エピクロルヒドリン反応物、ポリアミド−ポリアミン樹脂、ポリアミド−エピクロルヒドリン樹脂、カチオンデンプン、ポリビニルアルコール、ポリビニルピロリドン、ポリアミジン、カチオンエポキシ樹脂、ポリアクリルアミド、ポリアクリル酸エステル、ポリメタクリル酸エステル、ポリビニルホルムアミド、アミノアセタール化ポリビニルアルコール、ポリビニルベンジルオニウム、ジシアンジアミド・ホルマリン重縮合物、ジシアンジアミド・ジエチレントリアミン重縮合物、エピクロルヒドリン・ジメチルアミン付加重合物、ジメチルジアリルアンモニウムクロライド・ＳＯ2共重合物、ジメチルジアリルアンモニウムクロライド重合物、及びこれらの誘導体等があげられる。また、前記カチオン性ポリマーとしては、例えば、ジメチルアミノエチル−メタクリレート（ＤＭ）、メタクリロイロキシエチル−トリメチルアンモニウム−クロライド（ＤＭＣ）、メタクリロイロキシエチル−ベンジルジメチル−アンモニウムクロライド（ＤＭＢＣ）、ジメチルアミノエチル−アクリレート（ＤＡ）、アクリロイロキシエチル−トリメチルアンモニウム−クロライド（ＤＭＱ）、アクリロイロキシエチル−ベンジルジメチル−アンモニウムクロライド（ＤＡＢＣ）、ジメチルアミノプロピル−アクリルアミド（ＤＭＡＰＡＡ）、アクリルアミドプロピル−トリメチルアンモニウム−クロライド（ＤＭＡＰＡＡＱ）等の水溶性モノマーの少なくとも一つからなる単一モノマー重合体又は複数種のモノマーの共重合体等もあげられる。これらの中でも、ポリアリルアミン、ポリエチレンイミンが好ましい。
【００３２】
前記カチオン性界面活性剤としては、例えば、第１級、第２級及び第３級アミン塩型化合物、アルキルアミン塩、ジアルキルアミン塩、脂肪族アミン塩、ベンザルコニウム塩、第４級アンモニウム塩、第４級アルキルアンモニウム塩、アルキルピリジニウム塩、イミダゾリニウム塩、スルホニウム塩、ホスホニウム塩、オニウム塩等があげられる。具体的には、例えば、ラウリルアミン、ヤシアミン、ロジンアミン等の塩酸塩、酢酸塩等、ラウリルトリメチルアンモニウムクロライド、セチルトリメチルアンモニウムクロライド、ベンジルトリブチルアンモニウムクロライド、塩化ベンザルコニウム、ジメチルエチルラウリルアンモニウムエチル硫酸塩、ジメチルエチルオクチルアンモニウムエチル硫酸塩、トリメチルラウリルアンモニウム塩酸塩、セチルピリジニウムクロライド、セチルピリジニウムブロマイド、ジヒドロキシエチルラウリルアミン、デシルジメチルベンジルアンモニウムクロライド、ドデシルジメチルベンジルアンモニウムクロライド、テトラデシルジメチルアンモニウムクロライド、ヘキサデシルジメチルアンモニウムクロライド、オクタデシルジメチルアンモニウムクロライド等があげられ、これらの中でも、ジメチルエチルラウリルアンモニウムエチル硫酸塩、ジメチルエチルオクチルアンモニウムエチル硫酸塩、トリメチルラウリルアンモニウム塩酸塩、ドデシルジメチルアンモニウムクロライド、テトラデシルジメチルアンモニウムクロライドが好ましい。
【００３３】
前記処理液全量に対する前記凝集剤の配合量は、特に限定されず、例えば、多価金属塩であれば、例えば、１重量％〜３０重量％であり、好ましくは、５重量％〜２５重量％であり、例えば、カチオン性ポリマーであれば、例えば、０．１重量％〜１５重量％であり、好ましくは、１重量％〜１０重量％であり、例えば、カチオン性界面活性剤であれば、例えば、１重量％〜３０重量％であり、好ましくは、４重量％〜２５重量％である。前記凝集剤は、１種類を単独で用いてもよく、２種類以上を併用してもよい。
【００３４】
前記処理液に用いられる水は、イオン交換水又は純水であることが好ましい。前記処理液全量に対する前記水の配合量は、例えば、他の成分の残部としてもよい。
【００３５】
前記処理液は、さらに、浸透剤を含んでもよい。前記浸透剤及びその配合量としては、前記水性インクにおける浸透剤及びその配合量と同様である。
【００３６】
前記処理液は、必要に応じて、さらに、従来公知の添加剤を含んでもよい。前記添加剤としては、前記水性インクにおける添加剤と同様である。
【００３７】
前記処理液は、例えば、凝集剤、水、グリセリン及び前記特定分子量ＰＥＧと、必要に応じて他の添加成分とを、従来公知の方法で均一に混合することにより調製できる。
【００３８】
本発明の水性インクセットは、インクカートリッジとして提供することも可能である。例えば、本発明のインクカートリッジは、インク収納部及び処理液収納部を有し、インク収納部に本発明の水性インクが収納され、処理液収納部に本発明の処理液が収納されている。本発明のインクカートリッジにおいて、本発明の水性インク以外の水性インクの収納部を有してもよい。
【００３９】
本発明のインクカートリッジは、別個独立に形成された水性インクカートリッジ及び処理液カートリッジが集合したインクカートリッジ集合体であってもよいし、インク収納部と処理液収納部とを形成するようにその内部が間仕切りされた一体型のインクカートリッジであってもよい。本発明のインクカートリッジの本体としては、例えば、従来公知のものを使用できる。
【００４０】
つぎに、本発明のインクジェット記録方法及びインクジェット記録装置について説明する。
【００４１】
本発明のインクジェット記録方法は、インクジェット記録用水性インク及び処理液を含むインクジェット記録用水性インクセットを用いて記録するインクジェット記録方法であって、記録媒体に前記処理液を付与する工程と、前記記録媒体に前記水性インクをインクジェット方式により吐出して記録する記録工程とを有し、前記水性インクセットとして、本発明のインクジェット記録用水性インクセットを用いることを特徴とする。
【００４２】
本発明のインクジェット記録装置は、インクセット収容部と、処理液付与手段と、インク吐出手段とを含むインクジェット記録装置であって、前記インクセット収容部に、本発明のインクジェット記録用水性インクセットが収容され、前記水性インクセットを構成する前記処理液が、前記処理液付与手段によって記録媒体に付与され、前記水性インクセットを構成する前記水性インクが、前記インク吐出手段によって前記記録媒体に吐出されることを特徴とする。
【００４３】
本発明のインクジェット記録方法は、例えば、本発明のインクジェット記録装置を用いて実施可能である。前記記録は、印字、印画、印刷等を含む。
【００４４】
図１に、本発明のインクジェット記録装置の一例の構成を示す。本例のインクジェット記録装置は、シリアル型インクジェットヘッドを採用したシリアル型インクジェット記録装置である。図示のとおり、このシリアル型インクジェット記録装置１は、インクカートリッジ集合体２と、インク吐出手段（シリアル型インクジェットヘッド）３と、ヘッドユニット４と、キャリッジ５と、駆動ユニット６と、プラテンローラ７と、パージ装置８とを主要な構成要素として含む。
【００４５】
インクカートリッジ集合体２は、処理液カートリッジ２ａと、４つの水性インクカートリッジ２ｂとを含む。処理液カートリッジ２ａは、本発明の処理液を含む。４つの水性インクカートリッジ２ｂは、イエロー、マゼンタ、シアン及びブラックの４色の水性インクを、それぞれ１色ずつ含む。前記４色の水性インクは、本発明の水性インクである。
【００４６】
ヘッドユニット４に設置されたシリアル型インクジェットヘッド３は、記録媒体（例えば、記録用紙）Ｐに記録を行う。キャリッジ５には、インクカートリッジ集合体２及びヘッドユニット４が搭載される。駆動ユニット６は、キャリッジ５を直線方向に往復移動させる。駆動ユニット６としては、例えば、従来公知のものを使用できる（例えば、特開２００８−２４６８２１号公報参照）。プラテンローラ７は、キャリッジ５の往復方向に延び、シリアル型インクジェットヘッド３と対向して配置されている。
【００４７】
パージ装置８は、シリアル型インクジェットヘッド３の内部に溜まる気泡等を含んだ不良インクを吸引する。パージ装置８としては、例えば、従来公知のものを使用できる（例えば、特開２００８−２４６８２１号公報参照）。
【００４８】
パージ装置８のプラテンローラ７側には、パージ装置８に隣接してワイパ部材２０が配設されている。ワイパ部材２０は、へら状に形成されており、キャリッジ５の移動に伴って、インクジェットヘッド３のノズル形成面を拭うものである。図１において、キャップ１８は、処理液及び水性インクの乾燥を防止するため、記録が終了するとリセット位置に戻されるシリアル型インクジェットヘッド３の複数のノズルを覆うものである。
【００４９】
本例のシリアル型インクジェット記録装置１においては、インクカートリッジ集合体２は、ヘッドユニット４と共に、１つのキャリッジ５に搭載されている。ただし、本発明は、これに限定されない。前記シリアル型インクジェット記録装置において、インクカートリッジ集合体２の各カートリッジは、ヘッドユニット４とは別のキャリッジに搭載されていてもよい。また、インクカートリッジ集合体２の各カートリッジは、キャリッジ５には搭載されず、シリアル型インクジェット記録装置内に配置、固定されていてもよい。これらの態様においては、例えば、インクカートリッジ集合体２の各カートリッジと、キャリッジ５に搭載されたヘッドユニット４とが、チューブ等により連結され、インクカートリッジ集合体２の各カートリッジからヘッドユニット４に前記処理液及び前記水性インクが供給される。
【００５０】
このシリアル型インクジェット記録装置１を用いたインクジェット記録は、例えば、つぎのようにして実施される。まず、シリアル型インクジェットヘッド３から、記録用紙Ｐに本発明の処理液を付与（吐出）する。前記処理液は、再分散性及び蒸発後の流動性に優れるため、シリアル型インクジェットヘッド３からの安定した吐出が可能である。前記処理液の付与は、記録用紙Ｐの記録面の全面でもよく、一部でもよい。一部に付与する場合、記録用紙Ｐの記録面の少なくとも水性インクによる記録部分が付与部となる。一部に付与する場合、付与部の大きさは、記録部分よりも大きい方がよい。例えば、図２（ａ）に示すように、記録用紙Ｐに対し、文字（Ｘ）を記録する場合は、前記文字の線幅よりも大きな線幅で付与部３０を形成するように処理液を付与することが好ましい。また、図２（ｂ）に示すように、記録用紙Ｐに対し、図柄を記録する場合は、前記図柄よりも大きな付与部４０を形成するように処理液を付与することが好ましい。
【００５１】
つぎに、シリアル型インクジェットヘッド３から、記録用紙Ｐの前記処理液の付与部に、前記水性インクを吐出する。前記水性インクは、再分散性及び蒸発後の流動性に優れるため、シリアル型インクジェットヘッド３からの安定した吐出が可能である。前記処理液の吐出から、前記水性インクの吐出までの時間は、特に制限されない。例えば、前記水性インクの吐出は、前記処理液の吐出と同一走査内で実施すればよい。
【００５２】
本例のように、前記処理液は、前記水性インクの吐出に先立ち記録用紙Ｐに付与する前処理液として使用することが好ましい。これにより、例えば、前記水性インク中の着色剤の凝集効率を高めることができる。ただし、本発明は、これに限定されない。本発明では、記録用紙Ｐに前記水性インクを先に吐出した後、前記処理液を付与してもよいし、前記記録用紙Ｐへの前記処理液の付与と前記水性インクの吐出とを同時に行ってもよい。
【００５３】
本例のシリアル型インクジェット記録装置１では、前記インク吐出手段（シリアル型インクジェットヘッド）３が、前記処理液付与手段を兼ねている。ただし、本発明は、これに限定されない。本発明において、前記処理液の付与は、例えば、スタンプ塗布、刷毛塗り、ローラ塗布等の方式により実施してもよい。
【００５４】
このようにして記録された記録用紙Ｐは、シリアル型インクジェット記録装置１から排紙される。本発明の水性インクセットによれば、記録物のカールが抑制される。なお、図１においては、記録用紙Ｐの給紙機構及び排紙機構の図示を省略している。
【００５５】
図１に示す装置では、シリアル型インクジェットヘッドを採用するが、本発明は、これに限定されない。前記インクジェット記録装置は、ライン型インクジェットヘッドを採用した装置であってもよい。
【実施例】
【００５６】
つぎに、本発明の実施例について比較例と併せて説明する。なお、本発明は、下記の実施例及び比較例により限定及び制限されない。
【００５７】
（水性インクの調製）
水性インク組成（表１）における、ＣＡＢ−Ｏ−ＪＥＴ（登録商標）２６０Ｍを除く成分を、均一に混合しインク溶媒を得た。つぎに、ＣＡＢ−Ｏ−ＪＥＴ（登録商標）２６０Ｍに前記インク溶媒を加え、均一に混合した。その後、得られた混合物を、東洋濾紙（株）製のセルロースアセテートタイプメンブレンフィルタ（孔径３．００μｍ）でろ過することで、インクジェット記録用水性インクＭ−１〜Ｍ−１９を得た。
【００５８】
（処理液の調製）
処理液組成（表２）の各成分を、均一に混合して、処理液Ｇ−１〜Ｇ−２０を得た。
【００５９】
【表１】
2015227460.tif 000002
【００６０】
【表２】
2015227460.tif 000003
【００６１】
［実施例１〜９及び比較例１〜１６］
表３及び表４に示すように、前記水性インク及び前記処理液を組み合わせることで、インクジェット記録用水性インクセットを得た。
【００６２】
実施例及び比較例の水性インクセットについて、（ａ）水性インクの再分散性評価、（ｂ）水性インクの蒸発後の流動性評価、（ｃ）処理液の再分散性評価、（ｄ）処理液の蒸発後の流動性評価及び（ｅ）記録物のカール評価を、下記の方法により実施した。
【００６３】
（ａ）水性インクの再分散性評価
実施例及び比較例の水性インクセットを構成する水性インク１２μＬを、スライドグラス上に滴下した。ついで、前記スライドグラスを、温度６０℃、相対湿度４０％の環境下にて１日保存することで、前記水性インクを蒸発乾固させた。つぎに、前記保存後の固形物上に水を０．１ｍＬ滴下した。このようにして作製した評価サンプルを顕微鏡（倍率２００倍）にて観察し、水性インクの再分散性を、下記の評価基準に従って評価した。
【００６４】
水性インクの再分散性評価  評価基準
Ａ：固形物が一様に分散した
Ｃ：固形物の残渣があった、又は固形物が分散しなかった
【００６５】
（ｂ）水性インクの蒸発後の流動性評価
実施例及び比較例の水性インク５ｇを、開放瓶（口径：２０．２ｍｍ）に注入した。ついで、前記開放瓶を、温度６０℃、相対湿度４０％の恒温槽中に５日間保存した。つぎに、前記保存後の前記開放瓶内の水性インクの状態を目視で観察し、水性インクの蒸発後の流動性を、下記の評価基準に従って評価した。
【００６６】
水性インクの蒸発後の流動性評価  評価基準
ＡＡ：水性インクに流動性が認められた
Ａ  ：開放瓶に衝撃を与えると、水性インクに流動性が認められた
Ｃ  ：水性インクに流動性が認められなかった
【００６７】
（ｃ）処理液の再分散性評価
水性インクに代えて、実施例及び比較例の水性インクセットを構成する処理液を用いたこと以外は、（ａ）水性インクの再分散性評価と同様にして、処理液の再分散性を、下記の評価基準に従って評価した。
【００６８】
処理液の再分散性評価  評価基準
Ａ：固形物が一様に分散した
Ｃ：固形物の残渣があった、又は固形物が分散しなかった
【００６９】
（ｄ）処理液の蒸発後の流動性評価
水性インクに代えて、実施例及び比較例の水性インクセットを構成する処理液を用いたこと以外は、（ｂ）水性インクの蒸発後の流動性評価と同様にして、処理液の蒸発後の流動性を、下記の評価基準に従って評価した。
【００７０】
処理液の蒸発後の流動性評価  評価基準
Ａ：処理液に流動性が認められた
Ｃ：処理液の一部が固化した
【００７１】
（ｅ）記録物のカール評価
バーコーター（（株）安田精機製作所製のバーコーターのロッドＮｏ．３）を用いて、普通紙（１０５ｍｍ×１４８ｍｍ、（株）リコー製のマイペーパー）上に、実施例及び比較例の水性インクセットを構成する処理液１６ｐＬを塗布した。ついで、バーコーター（（株）安田精機製作所製のバーコーターのロッドＮｏ．３）を用いて、前記普通紙上に、実施例及び比較例の水性インクセットを構成する水性インク１８ｐＬを塗布した。前記水性インクを塗布した後の前記普通紙を、平らな台上に塗布面を下にしてのせて、塗布から７日後の前記普通紙の４隅の浮き上がり高さを測定し、マイナスカールを評価した。また、前記水性インクを塗布した後の前記普通紙を、平らな台上に塗布面を上にしてのせたこと以外は、前記マイナスカール評価と同様にして、プラスカールを評価した。前記マイナスカール評価及び前記プラスカール評価の結果を基に、記録物のカールを、下記の評価基準に従って評価した。なお、バーコーターによる全面塗布でカールが抑制されていれば、インクジェット記録においても、カールを抑制可能と判断できる。
【００７２】
記録物のカール評価  評価基準
ＡＡ：マイナスカール評価及びプラスカール評価の双方で、４隅の浮き上がり高さの平均が１０ｍｍ以下であった
Ａ  ：マイナスカール評価及びプラスカール評価の双方で、４隅の浮き上がり高さの平均が１０ｍｍを超えて１５ｍｍ以下であった
Ｃ  ：マイナスカール評価及びプラスカール評価のいずれか一方で、４隅の浮き上がり高さの平均が１５ｍｍを超えた
【００７３】
表３に、実施例で用いた水性インク及び処理液の種類、前記水性インク及び前記処理液におけるＰＥＧの配合量（ｘ重量％及びｙ重量％）、ｘ＋ｙ、及び評価結果を示す。表４に、比較例で用いた水性インク及び処理液の種類、前記水性インク及び前記処理液におけるＰＥＧの配合量（ｘ重量％及びｙ重量％）、ｘ＋ｙ、及び評価結果を示す。なお、比較例７〜１０において、前記水性インク及び前記処理液におけるＰＥＧの配合量（ｘ重量％及びｙ重量％）は、重量平均分子量が２００のＰＥＧの配合量である。
【００７４】
【表３】
2015227460.tif 000004
【００７５】
【表４】
2015227460.tif 000005
【００７６】
表３に示すとおり、実施例１〜９の水性インクセットでは、水性インクの再分散性評価、水性インクの蒸発後の流動性評価、処理液の再分散性評価、処理液の蒸発後の流動性評価、及び記録物のカール評価の全ての結果が良好であった。特に、０＜ｘ≦８とした実施例１、２、４、５及び７〜９の水性インクセットでは、より高い水性インクの蒸発後の流動性の向上が見られた。また、ｘ＜ｙとした実施例７の水性インクセットでは、記録物のカールが更に抑制された。
【００７７】
一方、表４に示すように、水性インク及び処理液の双方において、ＰＥＧを用いなかった比較例１の水性インクセットでは、記録物のカール評価の結果が悪かった。ｘ＋ｙ＝６とした比較例２及び５の水性インクセットでも、記録物のカール評価の結果が悪かった。
【００７８】
ｘ＋ｙ＝２６とした比較例３及び６の水性インクセットでは、水性インクの再分散性評価の結果が悪かった。ｘ＋ｙ＝３０とした比較例４の水性インクセットでは、水性インクの再分散性評価及び記録物のカール評価の結果が悪かった。
【００７９】
水性インク及び処理液の双方において、グリセリンを用いなかった比較例７の水性インクセットでは、水性インクの蒸発後の流動性評価及び処理液の蒸発後の流動性評価の結果が悪かった。水性インク及び処理液の双方において、前記特定分子量ＰＥＧに代えて、重量平均分子量が２００のＰＥＧを用いた比較例８〜１０の水性インクセットでは、記録物のカール評価の結果が悪かった。
【００８０】
ｘ＝２０、ｙ＝０とした比較例１１の水性インクセットでは、水性インクの再分散性評価及び記録物のカール評価の結果が悪かった。ｘ＝１５とした比較例１２の水性インクセットでは、水性インクの再分散性評価の結果が悪かった。ｘ＝０、ｙ＝２０とした比較例１３の水性インクセットでは、処理液の蒸発後の流動性評価の結果が悪かった。
【００８１】
水性インク及び処理液の双方において、特定分子量ＰＥＧに代えて、トリエチレングリコール−ｎ−ブチルエーテルを用いた比較例１４の水性インクセットでは、処理液の蒸発後の流動性評価の結果が悪かった。水性インク及び処理液の双方において、特定分子量ＰＥＧに代えて、ジエチレングリコールを用いた比較例１５の水性インクセットでは、記録物のカール評価の結果が悪かった。水性インク及び処理液の双方において、特定分子量ＰＥＧに代えて、１，５−ペンタンジオールを用いた比較例１６の水性インクセットでは、水性インクの再分散性評価及び記録物のカール評価の結果が悪かった。
【産業上の利用可能性】
【００８２】
以上のように、本発明のインクジェット記録用水性インクセットは、記録物のカールが抑制され、かつ、水性インク及び処理液の再分散性及び蒸発後の流動性に優れたものである。本発明の水性インクセットの用途は、特に限定されず、各種のインクジェット記録に広く適用可能である。
【符号の説明】
【００８３】
１          インクジェット記録装置
２          インクカートリッジ集合体
３          インクジェットヘッド
４          ヘッドユニット
５          キャリッジ
６          駆動ユニット
７          プラテンローラ
８          パージ装置
【図１】
2015227460.tif 000006
【図２】
2015227460.tif 000007